(57)【要約】【課題】終電乗換案内において、適切なタイミングで自動的に終電乗換案内を行う方法を提供する。【解決手段】携帯端末２００は、自身の位置情報と目的地登録情報とを基に目的地への到着を監視し、目的地への到着を検出した場合には、センタ設備１００に目的地到着情報を通知する。センタ設備１００は、目的地到着情報の位置（緯度、経度）から目的地の最寄駅を求め、目的地の位置から最寄駅までの経路探索をし、移動時間を求める。そして、基本情報に設定された自宅の最寄駅、および目的地の最寄駅間に関する終電案内情報の検索を実行する。さらに、目的地の最寄駅までの移動時間を考慮した上で、携帯端末２００経由でユーザに終電乗換案内情報を通知する。【選択図】        図１
2004362175.tif 000002
【特許請求の範囲】
【請求項１】
最終ダイヤ経路の案内情報の通知装置であって、
複数の停車場を含む地図の情報を記憶した地図情報記憶手段と、
前記地図上の所定の位置を示す情報を受信する受信手段と、
前記受信手段により受信した位置を示す情報に基づいて、前記所定の位置に最も近い交通手段の停車場を前記地図情報記憶手段から探索する停車場探索手段と、
前記停車場探索手段により探索された停車場から所定の停車場まで移動する交通手段の最終ダイヤ経路の案内情報を、該最終ダイヤ経路の案内情報の内容を考慮した時刻に通知する最終ダイヤ経路案内情報通知手段と
を備えたことを特徴とする最終ダイヤ経路の案内情報の通知装置。
【請求項２】
請求項１に記載の最終ダイヤ経路の案内情報の通知装置において、
複数の前記交通手段のダイヤ経路の案内情報を記憶したダイヤ経路案内情報記憶手段と、
前記最終ダイヤ経路案内情報通知手段により通知すべき最終ダイヤ経路の案内情報を前記ダイヤ経路案内情報記憶手段から探索する最終ダイヤ経路案内情報探索手段と
をさらに備えたことを特徴とする最終ダイヤ経路の案内情報の通知装置。
【請求項３】
請求項１または２に記載の最終ダイヤ経路の案内情報の通知装置において、
前記所定の位置にいるユーザが前記停車場探索手段により探索された停車場まで移動する時間を算出する移動時間算出手段をさらに備え、
前記最終ダイヤ経路案内情報通知手段は、前記移動時間算出手段により算出された時間をさらに考慮した時刻に前記最終ダイヤ経路の案内情報を通知することを特徴とする最終ダイヤ経路の案内情報の通知装置。
【請求項４】
請求項１ないし３のいずれかに記載の最終ダイヤ経路の案内情報の通知装置において、
前記最終ダイヤ経路案内情報通知手段は、少なくとも２つの通知先に前記最終ダイヤ経路の案内情報を通知することを特徴とする最終ダイヤ経路の案内情報の通知装置。
【請求項５】
請求項１ないし４のいずれかに記載の最終ダイヤ経路の案内情報の通知装置に位置を示す情報を通知する携帯端末であって、
目的地へ移動中に前記携帯端末の位置を示す情報を取得する位置情報取得手段と、
前記位置情報取得手段により取得された位置情報が前記目的地に対応する場合、前記位置を示す情報として前記目的地への到着を通知する目的地到着情報通知手段と
を備えたことを特徴とする携帯端末。
【請求項６】
請求項１ないし４のいずれかに記載の最終ダイヤ経路案内情報の通知装置と、
請求項５に記載の携帯端末と
を備えたことを特徴とする最終ダイヤ経路の案内情報の通知システム。
【請求項７】
コンピュータを使用して最終ダイヤ経路の案内情報を通知する方法であって、
所定の位置を示す情報を受信するステップと、
前記受信するステップにおいて受信した位置を示す情報に基づいて、複数の停車場を含む地図の情報を記憶した地図情報記憶装置から、前記所定の位置に最も近い交通手段の停車場を探索するステップと、
前記探索するステップにおいて探索された停車場から所定の停車場まで移動する交通手段の最終ダイヤ経路の案内情報を、該最終ダイヤ経路の案内情報の内容を考慮した時刻に通知するステップと
を備えたことを特徴とする最終ダイヤ経路の案内情報を通知する方法。
【請求項８】
請求項７に記載の最終ダイヤ経路の案内情報を通知する方法において、
複数の前記交通手段のダイヤ経路の案内情報を記憶したダイヤ経路案内情報記憶装置から、前記通知するステップにおいて通知すべき最終ダイヤ経路の案内情報を探索するステップをさらに備えたことを特徴とする最終ダイヤ経路の案内情報を通知する方法。
【請求項９】
請求項７または８に記載の最終ダイヤ経路の案内情報を通知する方法において、
前記所定の位置にいるユーザが前記探索するステップにおいて探索された停車場まで移動する時間を算出するステップをさらに備え、
前記通知するステップは、前記算出するステップにおいて算出された時間をさらに考慮した時刻に前記最終ダイヤ経路の案内情報を通知することを特徴とする最終ダイヤ経路の案内情報を通知する方法。
【請求項１０】
請求項７ないし９のいずれかに記載の最終ダイヤ経路の案内情報を通知する方法において、
前記通知するステップは、少なくとも２つの通知先に前記最終ダイヤ経路の案内情報を通知することを特徴とする最終ダイヤ経路の案内情報を通知する方法。
【請求項１１】
請求項７ないし１０のいずれかに記載の最終ダイヤ経路の案内情報を通知する方法において、
目的地へ移動中の携帯端末において位置情報を取得するステップと、
前記取得するステップにおいて取得された位置情報が前記目的地に対応する場合、前記携帯端末から前記コンピュータに、前記位置を示す情報として前記目的地への到着を通知するステップと
をさらに備えたことを特徴とする最終ダイヤ経路の案内情報を通知する方法。
【発明の詳細な説明】
【０００１】
【発明の属する技術分野】
本発明は最終ダイヤ経路の案内情報の通知装置、そのシステムおよび方法に関し、より詳細には、終電乗換案内において、ユーザの位置から求められた最寄駅と事前に登録されている自宅の最寄駅から終電案内情報を検索し、終電の時刻およびユーザの位置からの最寄駅までの移動時間および移動する際の準備時間を考慮した上で、終電にユーザが間に合うように自動的にユーザに終電案内情報を通知する最終ダイヤ経路の案内情報の通知装置、そのシステムおよび方法に関する。
【０００２】
【従来の技術】
従来から、ｉ−ｍｏｄｅ（Ｒ）などのＷｅｂサイトに接続可能な携帯電話において、終電乗換案内を行うサービスが提供されている（例えば、非特許文献１参照）。
【０００３】
【非特許文献１】
「ＡＤ  乗換案内ν」正式オープン、平成１５年５月１日、ジョルダン株式会社、［平成１５年５月２２日検索］、インターネット＜ＵＲＬ：ｈｔｔｐ：／／ｉ−ｎｏｒｉｋａｅｊｏｒｕｄａｎ．ｃｏ．ｊｐ／ｉ／ｃｇｉ−ｂｉｎ／ｎｏｒｉｋａｅ．ｃｇｉ＞
【０００４】
【発明が解決しようとする課題】
しかしながら、上述したような従来の乗換案内サービスは、ユーザの操作を終電乗換案内の契機としており、基本的にユーザがＷｅｂサイトにアクセスして、終電乗換案内の情報を検索しなければならない。従って、終電乗換案内の契機によっては、既に電車の終了時刻を過ぎており終電が存在せず、終電に乗り損ねてしまう場合があるという問題があった。
【０００５】
このような問題は、ユーザが事前に余裕を持って、終電乗換案内の情報を調べておくことによってある程度回避できるかもしれない。しかしながら、終電間際に他の出来事などに集中しており結局終電に乗り損ねてしまう可能性がある。従って、乗り損ねることを慎重に回避するためには、別途、時計のアラームなどの通知手法を用いなければならないという問題があった。
【０００６】
また、従来の乗換案内サービスでは、ユーザが携帯電話を用いて、ユーザが最寄の駅を入力することなどにより、終電乗換案内の情報の検索を行っている。しかしながら、ユーザが検索を行っている位置から最寄駅までの移動時間がサービスに反映されることはない。従って、検索の結果終電が存在することがわかったとしても、ユーザは終電の発車時刻までに駅に辿り着くことができず、結局終電に乗り損ねてしまうという問題があった。
【０００７】
また、従来の乗換案内サービスでは、現在地の最寄駅をユーザが自分で予め把握しておき、その都度、携帯電話の画面を通じて提供される入力フィールドにその駅名を入力しなければならず、操作が煩雑であるという問題があった。
【０００８】
さらに、終電乗換案内の情報検索において、行き先は自宅の場合がほとんどである。しかしながら、ユーザはその都度、携帯電話の画面を通じて提供される入力フィールドに自宅の最寄駅を入力しなければならず、この点においても操作が煩雑であるという問題があった。
【０００９】
本発明は以上のような問題に鑑みてなされたものであり、その目的とするところは、終電乗換案内において、適切なタイミングで自動的に終電乗換案内を行う最終ダイヤ経路の案内情報の通知装置、そのシステムおよび方法を提供することにある。
【００１０】
【課題を解決するための手段】
このような目的を達成するために、請求項１に記載の発明は、最終ダイヤ経路の案内情報の通知装置であって、複数の停車場を含む地図の情報を記憶した地図情報記憶手段と、前記地図上の所定の位置を示す情報を受信する受信手段と、前記受信手段により受信した位置を示す情報に基づいて、前記所定の位置に最も近い交通手段の停車場を前記地図情報記憶手段から探索する停車場探索手段と、前記停車場探索手段により探索された停車場から所定の停車場まで移動する交通手段の最終ダイヤ経路の案内情報を、該最終ダイヤ経路の案内情報の内容を考慮した時刻に通知する最終ダイヤ経路案内情報通知手段とを備えたことを特徴とする。
【００１１】
また、請求項２に記載の発明は、請求項１に記載の最終ダイヤ経路の案内情報の通知装置において、複数の前記交通手段のダイヤ経路の案内情報を記憶したダイヤ経路案内情報記憶手段と、前記最終ダイヤ経路案内情報通知手段により通知すべき最終ダイヤ経路の案内情報を前記ダイヤ経路案内情報記憶手段から探索する最終ダイヤ経路案内情報探索手段とをさらに備えたことを特徴とする。
【００１２】
また、請求項３に記載の発明は、請求項１または２に記載の最終ダイヤ経路の案内情報の通知装置において、前記所定の位置に居るユーザが前記停車場探索手段により探索された停車場まで移動する時間を算出する移動時間算出手段をさらに備え、前記最終ダイヤ経路案内情報通知手段は、前記移動時間算出手段により算出された時間をさらに考慮した時刻に前記最終ダイヤ経路の案内情報を通知することを特徴とする。
【００１３】
また、請求項４に記載の発明は、請求項１ないし３のいずれかに記載の最終ダイヤ経路の案内情報の通知装置において、前記最終ダイヤ経路案内情報通知手段は、少なくとも２つの通知先に前記最終ダイヤ経路の案内情報を通知することを特徴とする。
【００１４】
また、請求項５に記載の発明は、請求項１ないし４のいずれかに記載の最終ダイヤ経路の案内情報の通知装置に位置を示す情報を通知する携帯端末であって、目的地へ移動中に前記携帯端末の位置情報を取得する位置情報取得手段と、前記位置情報取得手段により取得された位置情報が前記目的地に対応する場合、前記位置を示す情報として前記目的地への到着を通知する目的地到着情報通知手段とを備えたことを特徴とする携帯端末。
【００１５】
また、請求項６に記載の発明は、請求項１ないし４のいずれかに記載の最終ダイヤ経路案内情報の通知装置と、請求項５に記載の携帯端末とを備えたことを特徴とする。
【００１６】
また、請求項７に記載の発明は、コンピュータを使用して最終ダイヤ経路の案内情報を通知する方法であって、所定の位置を示す情報を受信するステップと、前記受信するステップにおいて受信した位置を情報に基づいて、複数の停車場を含む地図の情報を記憶した地図情報記憶装置から、前記所定の位置に最も近い交通手段の停車場を探索するステップと、前記探索するステップにおいて探索された停車場から所定の停車場まで移動する交通手段の最終ダイヤ経路の案内情報を、該最終ダイヤ経路の案内情報の内容を考慮した時刻に通知するステップとを備えたことを特徴とする。
【００１７】
また、請求項８に記載の発明は、請求項７に記載の最終ダイヤ経路の案内情報を通知する方法において、複数の前記交通手段のダイヤ経路の案内情報を記憶したダイヤ経路案内情報記憶装置から、前記通知するステップにおいて通知すべき最終ダイヤ経路の案内情報を探索するステップをさらに備えたことを特徴とする。
【００１８】
また、請求項９に記載の発明は、請求項７または８に記載の最終ダイヤ経路の案内情報を通知する方法において、前記所定の位置にいるユーザが前記探索するステップにおいて探索された停車場まで移動する時間を算出するステップをさらに備え、前記通知するステップは、前記算出するステップにおいて算出された時間をさらに考慮した時刻に前記最終ダイヤ経路の案内情報を通知することを特徴とする。
【００１９】
また、請求項１０に記載の発明は、請求項７ないし９のいずれかに記載の最終ダイヤ経路の案内情報を通知する方法において、前記通知するステップは、少なくとも２つの通知先に前記最終ダイヤ経路の案内情報を通知することを特徴とする。
【００２０】
また、請求項１１に記載の発明は、請求項７ないし１０のいずれかに記載の最終ダイヤ経路の案内情報を通知する方法において、目的地へ移動中の携帯端末において位置情報を取得するステップと、前記取得するステップにおいて取得された位置情報が前記目的地に対応する場合、前記携帯端末から前記コンピュータに前記目的地への到着を通知するステップとをさらに備えたことを特徴とする。
【００２１】
【発明の実施の形態】
次に、本発明の実施の形態について、図面を参照して詳細に説明する。
【００２２】
図１は、本発明を実施可能なシステムの全体的な構成を示す。本システムは、ＧＰＳ（Ｇｌｏｂａｌ  Ｐｏｓｉｔｉｏｎｉｎｇ  Ｓｙｓｔｅｍ）などの測位装置を内蔵した携帯端末２００およびセンタ設備１００より構成される。
【００２３】
携帯端末２００はＷｅｂにアクセス可能に構成されており、例えばＰＤＡやｉ−ｍｏｄｅ（Ｒ）などのインターネット・サービスを利用する携帯電話を使用することができる。携帯端末２００とセンタ設備１００とは、無線基地局２および通信網３を介して接続されており、データ信号の送受信を行うことが可能である。
【００２４】
通信網３は、インターネットおよび公衆回線網を含んでいる。この公衆回線網は、有線回線網と、無線基地局２が接続される移動網とを含んでいる。
【００２５】
ここで、通信網３にはユーザにより使用されるＰＣ１が接続されるものとしても良い。この場合、ＰＣ１は、データ通信機能を有し、Ｗｅｂへアクセス可能に構成されたものが使用される。
【００２６】
上記のように構成されたシステムにおける本発明の動作を概略的に説明する。ユーザは、ＰＣ１または携帯端末２００より、基本情報と目的地の登録を行う。基本情報や目的地の登録は、事前に行ったり、目的地へ向けての移動中に行ったり、現在の位置を目的地として登録したりすることが可能である。登録処理は、ＰＣ１または携帯端末２００からセンタ設備１００に向けて、基本情報および目的地登録情報を送信することにより行う。
【００２７】
より具体的には、登録処理は、ＰＣ１または携帯端末２００において、センタ設備１００から提供されるＷｅｂページに所定の情報を入力することにより行うことができる。あるいは、この情報はＳＭＴＰ（Ｓｉｍｐｌｅ  Ｍａｉｌ  Ｔｒａｎｓｆｅｒ  Ｐｒｏｔｏｃｏｌ）により電子メールを使用して送信することとしても良い。あるいは、ＦＴＰ（Ｆｉｌｅ  Ｔｒａｎｓｆｅｒ  Ｐｒｏｔｏｃｏｌ）により上記情報を転送することとしても良い。さらに、ファクシミリや、郵送などの他の送達手段を使用して上記情報をセンタ設備１００の管理者に送達し、管理者によるセンタ設備１００の操作を通じて上記情報を入力することとしても良い。
【００２８】
センタ設備１００は、登録された情報を基に、ユーザの携帯端末２００に目的地登録情報を随時送信する。
【００２９】
目的地へ移動中の携帯端末２００は、自身の位置情報と目的地登録情報とを基に目的地への到着を監視する。そして、目的地への到着を検出した場合には、センタ設備１００に目的地への到着を示す情報（目的地到着情報）を通知する。
【００３０】
目的地到着情報を受信したセンタ設備１００は、目的地登録情報に含まれている緯度、経度から目的地の最寄駅を求め、目的地の位置から最寄駅までの経路探索をし、移動時間を求める。そして、基本情報に設定された自宅の最寄駅、および目的地の最寄駅間に関する終電案内情報の検索を実行する。さらに、目的地の最寄駅までの移動時間を考慮した上で、携帯端末２００経由でユーザに終電乗換案内情報を通知する。
【００３１】
図２は、本発明を実施可能なシステムの機能構成の概要を示すブロック図である。本発明のシステムは、大きく分けて、センタ設備１００と携帯端末２００とから構成される。
【００３２】
センタ設備１００は、通信処理部１０１、設定情報管理部１０２、ユーザインタフェース部１０３、現在最寄駅探索部１０４、経路探索部１０５、終電乗換案内情報探索部１０６、演算処理部１０７より構成される。
【００３３】
通信処理部１０１は、演算処理部１０７から目的地登録情報の通知を受けた後、携帯端末２００に対して、目的地登録情報を通知する。また、携帯端末２００から目的地到着情報の通知を受けた際に、その情報を演算処理部１０７に通知する。さらに、演算処理部１０７からの終電乗換案内情報を携帯端末２００に通知する。
【００３４】
図３に、目的地登録情報の一例を示す。目的地登録情報は、目的地名称、中心緯度および中心経度、半径、代理通知先アドレスにより構成される。
【００３５】
目的地名称は、「○○居酒屋」などの目的地の名称を示す文字列である。中心緯度および中心経度は、目的地の中心の位置を示す。半径は目的地の中心からの距離を示す数値であり、後述する目的地到着情報の通知の際に使用される。
【００３６】
代理通知先アドレスは、携帯端末２００以外に終電乗換案内情報を通知する先の電子メールアドレスを示す文字列である。例えば目的地が居酒屋などの飲食店である場合に、代理通知先アドレスを店員が使用する携帯端末の電子メールアドレスとすることができる。センタ設備１００はこの代理通知先アドレスに対し、終電乗換案内情報の通知や、ユーザの携帯端末２００に通知が来ていることの通知を行う。これにより、ユーザは目的地の店員から通知内容を教えてもらうことができるので、ユーザが終電乗換案内情報の通知に気づかず、終電に乗り損ねることを抑止することができる。
【００３７】
なお、代理通知先アドレスは複数の通知先の電子メールアドレスを含んでも良い。
【００３８】
設定情報管理部１０２は、内部の記憶装置（不図示）に記憶されたユーザの基本情報および目的地登録情報を管理するものであり、これらの情報の追加、削除、修正などの処理を行う。
【００３９】
図４に基本情報の一例を示す。ユーザの基本情報は、ユーザ名、通知先アドレス、自宅最寄駅、通知余裕時間により構成される。通知余裕時間は、目的地から最寄駅の移動時間にプラスアルファするものであり、最寄駅への移動準備などの時間を考えて、ユーザが所望の時間を設定するものであり、例えば、１０分前などを設定する。通知先アドレスは、携帯端末２００で使用する電子メールアドレスを示す文字列である。
【００４０】
ユーザインタフェース部１０３は、ユーザに基本情報および目的地登録情報を設定する環境を提供するもので、その機能は例えばＣＧＩ（Ｃｏｍｍｏｎ  Ｇａｔｅｗａｙ  Ｉｎｔｅｒｆａｃｅ）により実現される。設定環境は、Ｗｅｂサイトなどのリモートからの情報入力に対応したものである。ユーザにより設定された基本情報および目的地登録情報は、演算処理部１０７を経由して、設定情報管理部１０２に設定情報として通知される。
【００４１】
現在最寄駅探索部１０４は、各駅の駅名称と場所（緯度、経度）を保有し、演算処理部１０７より、目的地到着情報から取得可能なユーザの位置（緯度、経度）が通知された際に、現在の最寄駅を探索し、演算処理部１０７に通知する。
【００４２】
経路探索部１０５は、予め記憶された複数の駅を含む地図情報の集合（データベース）を使用する市販地図ソフトの経路探索と同様な機能を有する。即ち、演算処理部１０７よりユーザの位置と現在の最寄駅の位置を通知された際に、ユーザの位置に最も近い駅を当該データベースから探索して経路探索を行う。そして、ユーザの位置から現在の最寄駅までの移動時間の算出を行い、演算処理部１０７に通知する。
【００４３】
終電乗換案内情報探索部１０６は、予め記憶したダイヤ経路の案内情報のデータベースを使用する既存の終電乗換案内の探索と同様な機能を有する。即ち、出発地と目的地とを結ぶ当日ダイヤ経路のうち、最も遅い時間に到着できるダイヤ経路（最終ダイヤ経路）を探索する機能を有する。そして、演算処理部１０７より、現在の最寄駅と自宅の最寄駅の名称が通知された際に、終電乗換案内情報の検索を実行し、演算処理部１０７にその結果を通知する。
【００４４】
終電乗換案内情報は電子メールを使用して通知することができる。この場合、終電乗換案内情報は終電の時刻、自宅への到着時刻、ユーザが目的地を出発するべき時刻、目的地から最寄駅までの経路を含むことができる。また、電子メールの中に、目的地から最寄駅までの経路を含む地図情報を参照するためのＵＲＬを定義しておき、ユーザが電子メールを閲覧中にこのＵＲＬをクリックしたときに、携帯端末２００に地図情報を提供することとしてもよい。
【００４５】
上述した地図情報や終電乗換案内情報のデータベースは、ハードディスク、ＣＤ−ＲＯＭ、ＣＤ−Ｒ、ＣＤ−Ｒ／Ｗ、ＤＶＤなどの様々な記憶装置（不図示）に記憶しておくことができる。この記憶装置は、センタ設備１００に内蔵されるものでも良く、また外付けのものであっても良い。
【００４６】
演算処理部１０７は、センタ設備１００を制御するＣＰＵやＤＳＰなどのプロセッサにより構成される。上述した各構成要素は、演算処理部１０７が、ＲＯＭやハードディスクなどの記憶装置（不図示）に記憶された通信プログラム、Ｗｅｂサーバ、ゲートウェイ、メールソフトなどのプログラムのプログラムコードを読み出して実行することにより実施される。
【００４７】
次に、演算処理部１０７により制御されるセンタ設備１００の動作について説明する。通信処理部１０１は、ユーザインタフェース部１０３を利用して行われる登録処理により、基本情報および目的地登録情報を受信する。目的地登録情報は所定の目的地における位置情報を含んでいる。演算処理部１０７は、通信処理部１０１から基本情報および目的地登録情報が通知された際に、その情報を設定情報管理部１０２に通知する。設定情報管理部１０２は、通知された情報を内部の記憶装置に記憶する。
【００４８】
以降、センタ設備１００は、通信処理部１０１を経由して、目的地登録情報を携帯端末２００に通知する。
【００４９】
また、通信処理部１０１から、携帯端末２００からの目的地到着情報が通知された際に、現在最寄駅探索部１０４に目的地到着情報から取得可能なユーザの位置を通知し、現在の最寄駅の名称と場所（緯度、経度）を取得する。このようにして、受信した位置情報に基づいて、所定の位置に最も近い駅を探索する。
【００５０】
そして、経路探索部１０５にユーザの位置と現在の最寄駅の緯度、経度を通知し、ユーザが現在の最寄駅までの移動時間を算出する。
【００５１】
さらに、終電乗換案内情報探索部１０６に現在の最寄駅の名称と基本情報から取得される自宅の最寄駅の名称を通知し、通知すべき最終ダイヤ経路の案内情報を探索して、終電乗換案内情報を取得する。
【００５２】
そして、基本情報に指定された通知先および目的地登録情報の代理通知先アドレスに対して、終電乗換案内情報を通信処理部１０１経由で通知する。通知は、現在の最寄駅での終電の時刻と現在の最寄駅までの移動時間と基本情報に記述されている通知余裕時間を考慮した時刻（タイミング）で終電乗換案内情報を含む電子メールを送信することにより行う。このようにして、探索された駅から自宅の最寄駅までの最終ダイヤ経路の案内情報を、この最終ダイヤ経路の案内情報の内容、および、ユーザが最寄駅まで移動する時間を考慮した時刻に最終ダイヤ経路の案内情報を通知する処理が実現される。
【００５３】
なお、ユーザの位置から最寄駅までの経路が複数存在する場合には、最も長い移動時間を考慮した時刻に終電乗換案内情報を通知することとしても良い。あるいは、経路毎の移動時間を考慮した時刻に終電乗換案内情報を複数回通知することとしても良い。
【００５４】
また、ダイヤ経路を探索する交通手段としては、電車の他、バス、モノレールなどの様々な交通手段およびこれらの任意の組合せを含むことができる。従って、ダイヤ経路の案内情報は、これらの様々な交通手段のダイヤ経路の組合せに関するものとすることができる。また、目的地の最寄の停車場は駅に限定されず、停留所などであってもよい。
【００５５】
また、ユーザの位置から最寄駅までの経路に普通や急行などの複数種類の便が存在する場合には、便の種類毎に終電乗換案内情報を通知することとしても良い。
【００５６】
次に、携帯端末２００の構成について説明する。携帯端末２００は、位置情報取得部２０１、通信処理部２０２、目的地設定情報管理部２０３、情報表示装置部２０４、演算表示装置部２０５より構成される。
【００５７】
位置情報取得部２０１は、ＧＰＳなどの位置検出装置であり、取得した位置情報を定期的に演算処理部２０５に伝送する機能を有する。
【００５８】
通信処理部２０２は、センタ設備１００から携帯端末２００に対して、目的地設定情報が通知された際に、演算処理部２０５に通知する。また、演算処理部２０５より、目的地到着情報の通知の指示があった際に、携帯端末の位置を示す情報として目的地到着情報をセンタ設備１００に通知する。また、センタ設備１００から終電乗換案内情報が通知された際に、演算処理部２０５に通知する。
【００５９】
目的地設定情報管理部２０３は、演算処理部２０５より、目的地設定情報が通知された際に、目的地設定情報を内部の記憶装置に記憶する他、この情報の削除、修正などの処理を行う。
【００６０】
情報表示装置部２０４は、演算処理部２０５より、終電乗換案内情報が通知された際に、終電乗換案内情報を表示することにより、ユーザに終電乗換案内情報を提示する。
【００６１】
演算処理部２０５は、携帯端末２００を制御するＣＰＵやＤＳＰなどのプロセッサにより構成される。上述した各構成要素は、演算処理部２０５が、ＲＯＭやハードディスクなどの記憶装置（不図示）に記憶された通信プログラム、ＷＷＷブラウザ、メールソフトなどのプログラムのプログラムコードを読み出して実行することにより実施される。
【００６２】
次に、演算処理部２０５により制御される携帯端末２００の動作について説明する。演算処理部２０５は、通信処理部２０２から、目的地設定情報が通知された際に、目的地設定情報管理部２０３に、目的地設定情報を通知する。目的地設定情報管理部２０３は、通知された情報を内部の記憶装置に記憶する。
【００６３】
次いで、目的地へ移動中に、取得される位置情報と目的地設定情報管理部２０３の目的地設定情報より、ユーザが目的地に到着したかどうかを判定する。取得された位置情報が目的地に対応する場合は、目的地に到着したと判定し、目的地到着情報を通信処理部２０２経由で、センタ設備１００に通知する。センタ設備１００は、電子メールを使用して終電乗換案内情報をユーザおよび／または代理通知先アドレスに通知する。なお、ユーザに対する終電乗換案内情報の通知は携帯端末２００からいわゆる着信音などの可聴音の出力や、携帯端末２００を振動させるバイブ機能、およびこれらの組み合わせを使用して行うこととしても良い。これらの機能は、携帯端末２００に備えられた不図示のスピーカによる音声の出力やモータの駆動により実現される。
【００６４】
ユーザは自身で、あるいは代理通知先アドレスのユーザからの知らせを受けて、終電乗換案内情報の着信を知ることができ、情報表示装置部２０４に終電乗換案内情報を表示させて、その内容を確認することができる。
【００６５】
図５に、携帯端末２００により実行される、目的地への到着を検出する方法の一例を示す。図５（ａ）に示すように、目的地登録情報内の半径をＲ１とする。演算処理部２０５は、目的地登録情報の緯度、経度と、位置情報取得部２０１から取得される位置情報の緯度、経度とから、携帯端末２００の現在位置と目的地Ｐとの間の距離Ｒ２を算出する。そして、距離Ｒ２が半径Ｒ１より大きい間は未到着と判断し、距離Ｒ２が半径Ｒ１以下になった時を到着とする。
【００６６】
なお、上述した例ではユーザが目的地の緯度、経度の登録を行なっているが、センタ設備１００において目的地の緯度、経度の情報のデータベースを用意することとしても良い。例えば、センタ設備１００において各飲食店における緯度、経度の情報のデータベースと、これらの飲食店のホームページへのリンクを含むホームページ（リンク集）とを用意する。ユーザの携帯端末２００やＰＣ１からアクセスを受けた場合、センタ設備１００はこのリンク集を提供するとともに、希望する飲食店の選択を受け付ける。そして、選択を受けた飲食店の緯度、経度の情報をデータベースから抽出して、目的地登録情報の緯度、経度とする。この場合、緯度、経度の情報の他、ユーザから受信した識別情報が、所定の位置を示す情報に含まれることになる。
【００６７】
最後に図６を参照し、本発明をビジネスに使用した場合の一例を示す。各飲食店は、終電乗換案内サービスに加盟店として登録し、ＣＭ情報の登録およびクーポン券の登録をする。また、料金を終電乗換案内サービスシステムの運営者に支払う。終電乗換案内サービスシステムのセンタ設備１００は、ユーザの携帯端末２００に対して、終電乗換案内サービス加盟店のＣＭ情報を提示する。ユーザが携帯端末２００を使用し、ＣＭ情報の中から、気にいった店舗を登録すると、携帯端末２００からセンタ設備１００に対し当該店舗を選択した旨の情報が送信され、センタ設備１００にはその店舗の位置情報が終電乗換案内の目的地として自動的に登録される。
【００６８】
また、クーポン券がユーザの携帯端末２００に対して発券される。そして、ユーザが目的地として登録された店舗に行くと、クーポン券による割引と終電乗換案内サービスシステムによる終電乗換案内情報の通知（代理通知も含む）を受けることができるようになる。
【００６９】
さらには、ユーザに終電乗換案内サービスシステムに個人情報を登録してもらい、来店したユーザの情報を加盟店に提供することにより、加盟店は、マーケティング情報として使用することが可能になる。この場合、個人情報の登録は、基本情報に含めて携帯端末２００から送信するものとすることができる。ここで、ユーザに要求される個人情報は、性別、年齢、最寄駅などプライバシーの問題にならない程度の情報であることが好ましい。
【００７０】
【発明の効果】
以上説明したように、本発明によれば、Ｗｅｂサイトに接続可能な携帯端末に対し、最終ダイヤ経路の案内情報を自動的に通知することが可能になる。
【００７１】
また、ユーザの目的地の位置から最寄駅を求めので、ユーザに最寄駅を調べることを要求することなく、最終ダイヤ経路の案内情報を検索することが可能になる。
【００７２】
また、ユーザが目的地にいる場合であっても最終ダイヤ経路の案内情報を適切なタイミングで通知するという効果を奏する。
【００７３】
また、ユーザヘの目的地での最終ダイヤ経路の案内情報の通知において代理通知先アドレスを設定することができるので、通知先の選択が可能であるという効果を奏する。
【００７４】
さらに、最終ダイヤ経路の案内情報の通知において、目的地から最寄駅への移動時間も考慮した上で、通知を行うことができるという効果を奏する。
【図面の簡単な説明】
【図１】本発明を実施可能なシステムの全体的な構成図である。
【図２】本発明を実施可能なシステムの機能構成の概要を示すブロック図である。
【図３】目的地登録情報の一例を示す図である。
【図４】基本情報の一例を示す図である。
【図５】本発明の一実施形態による携帯端末の目的地への到着を検出する方法を示す図である。
【図６】本発明を使用したビジネスの一例を示す図である。
【符号の説明】
１  ＰＣ
２  無線基地局
３  通信網
１００  センタ設備
１００  センタ設備
１０１  通信処理部
１０２  設定情報管理部
１０３  ユーザインタフェース部
１０４  現在最寄駅探索部
１０５  経路探索部
１０６  終電乗換案内情報探索部
１０７  演算処理部
２００  携帯端末
２０１  位置情報取得部
２０２  通信処理部
２０３  目的地設定情報管理部
２０４  情報表示装置部
２０５  演算処理部
【図１】
2004362175.tif 000003
【図２】
2004362175.tif 000004
【図３】
2004362175.tif 000005
【図４】
2004362175.tif 000006
【図５】
2004362175.tif 000007
【図６】
2004362175.tif 000008